(57)【要約】【課題】  電気機器付属品に添え付けるラベルを、ユーザの目に触れやすくする。ラベルの保管を容易にする。【解決手段】  ラベル主部５５の両端に一対の接合片部５６，５６を引き破り可能なミシン目５１，５１を介して連設する。柔軟な袋体２の外側にラベルＢを巻き付け、接合片部５６，５６を接着テープ４により貼り合わせて袋体２に保持させる。好ましくは、袋体２の出入れ口の束ね部２１にも接着テープ４を貼り付けて封鎖する。接合片部５６，５６の重なり部分を手の指で引き上げると、ミシン目５１のところでラベルＢが破断してラベル主部５５が分離し、併せて、袋体２から接着テープ４が剥離して袋体２の出入り口が開く。【選択図】        図４
2006171166.tif 000002
【特許請求の範囲】
【請求項１】
印刷表示スペースを形成するラベル主部と、該ラベル主部の両端に連設された一対の接合片部とで構成され、前記ラベル主部と前記接合片部とをミシン目を介して連設したラベルにおいて、
前記ラベルの全長が電気機器セット付属品を収容させた柔軟な袋体の外側に一対の前記接合片部が重なるように巻き付けられる長さを有し、前記接合片部間を接着テープにより貼り合わせると共に、前記ミシン目の両端にＶ形の切込みが形成されて、前記ミシン目の端点に位置する切り目が、前記Ｖ形の切込みの谷底点に連接していることを特徴とするラベル。
【請求項２】
印刷表示スペースを形成するラベル主部を有し、該ラベル主部の両端にミシン目を介して連設され、かつ、互いに重ね合わされて接着手段により貼り合わせられる一対の接合片部を追加したことを特徴とするラベル。
【請求項３】
断続的切り目でなる前記ミシン目の両端にＶ形の切込みが形成されている請求項２に記載したラベル。
【請求項４】
前記ミシン目の端点に位置する切り目が、前記Ｖ形の切込みの谷底点に連接している請求項３に記載したラベル。
【請求項５】
ラベル主部の両端に一対の接合片部が引き破り可能なミシン目を介して連設されてなるラベルが、電気機器セット付属品を収容させた柔軟な袋体の外側に巻き付けられ、かつ、互いに重ね合わされた一対の前記接合片部が接着テープにより貼り合わされ、前記袋体は前記付属品の出入れ口が束ねて塞がれていて、その出入れ口の束ね部が前記接着テープを延出させて貼り付けることにより封鎖されていると共に、前記接着テープの片側端部が一対の前記接合片部の重なり部分に貼着されていて、それらの接合片部の重なり部分での前記接着テープが貼着されていない箇所を手の指で引き上げる操作を介し、前記ミシン目の破断と、袋体からの接着テープの剥離とが行われるようになっており、
前記ラベルのラベル主部の中央部が前記袋体の正面側に配備され、かつ、前記ラベルの一対の接合片部の重なり部分が前記袋体の背面側に配備されていることを特徴とする電気機器セット付属品包装。
【請求項６】
ラベル主部の両端に一対の接合片部が引き破り可能なミシン目を介して連設されてなるラベルが、電気機器セット付属品を収容させた柔軟な袋体の外側に巻き付けられて、一対の前記接合片部が互いに重ね合わされて接着テープにより貼り合わされていると共に、その接着テープが前記袋体にも貼着されていることを特徴とする電気機器セット付属品包装。
【請求項７】
前記袋体は前記付属品の出入れ口を束ねて塞いでなり、一対の前記接合片部を貼り合わせている前記接着テープを延出させて前記出入れ口の束ね部に貼り付けることによりその束ね部を封鎖してある請求項６に記載した電気機器セット付属品包装。
【請求項８】
前記接着テープは、その片側端部が一対の前記接合片部の重なり部分に貼着されていて、それらの接合片部の重なり部分での前記接着テープが貼着されていない箇所を手の指で引き上げる操作を介し、前記ミシン目の破断と、袋体からの接着テープの剥離とが行われるようになっている請求項７に記載した電気機器セット付属品包装。
【発明の詳細な説明】
【技術分野】
【０００１】
本発明は、ラベル及び電気機器セット付属品包装、詳しくは印刷表示の施されたラベル主部を保管しやすくなることに加え、電気機器セット付属品の包装の外側にラベル主部の印刷表示を露出させてユーザの目に触れやすくすることできるラベルと、そのようなラベルを用いた電気機器セッチ付属品包装とに関する。
【背景技術】
【０００２】
ＤＶＤドライブやＣＤドライブ、プロジェクタなどの各種電気機器では、電源の入切や制御モードの選択などがリモートコントローラを用いて広く行われるようになっている。そのため、各種の電気機器セットの梱包にはリモートコントローラや電気コードなどの必要とされる付属品が同梱されることが多い。そして、電気機器セットの付属品をポリエチレンなどで作った柔軟で透明な袋体に収容して電気機器セットに同梱する場合に、その電気機器セットを購入したユーザに見て貰いたい情報、たとえば電気機器セットや付属品などの特徴やキャッチフレーズ、それらの関連商品の特徴やキャッチフレーズなどを印刷したラベル（所謂ＰＯＰラベルなど）を付属品と共にユーザに提供するということの行われることがある。
【０００３】
従来、そのようなラベルを付属品に付けて電気機器セットの梱包に同梱させる場合、ラベルを付属品と共に前記袋体に入れておくということが行われていた。
【０００４】
一方、従来より、清涼飲料や酒類などの容器として用いられる所謂ＰＥＴボトルの胴部にプラスチックフィルムのラベルを巻き付けたラベル付容器が知られていた（たとえば特許文献１参照）。このラベル付容器では、ＰＥＴボトルの胴部に巻き付けたラベルの上下端部に亘って走るテープ又は糸を付け、そのテープ又は糸の近くでラベルの上端部及び下端部のうちの少なくとも一方に切り込み又は微細孔を設けてある。このものによると、テープ又は糸を引っ張ってラベルを切り込み又は微細孔の形成箇所で引き破ることによりＰＥＴボトルからラベルを除去することができるようになるので、収集した使用済み容器の回収レジンの純度を向上させるためのラベル除去操作が容易になるとされている。
【特許文献１】実開平５−２２３４６号公報
【発明の開示】
【発明が解決しようとする課題】
【０００５】
ところで、ＰＯＰラベルは、商品のユーザにとっては購入した商品などについての関連情報やその関連商品などを知るための道標となる情報源として役立ち、商品提供者にとってはユーザの購買意欲を高めて購買決定に大きな役割を果たす販促ツールとして役立つものでもあるので、商品提供者にとっては、商品を購入したユーザがそのＰＯＰラベルを捨てずに手元に保管しておくようになることが有益であると云える。
【０００６】
しかしながら、従来は、そのようなＰＯＰラベルなどの各種のラベルを、前記のように電気機器セットに同梱された付属品を収容している袋体の中に印刷物の１つとしてただ単に追加して入れてユーザに提供していたに過ぎなかったので、ユーザは、リモートコントローラなどの付属品を取り出した後、その袋体の中にラベル放置したままにしたりすることが多々あった。そのために、ラベル、特にＰＯＰラベルとのしての機能が十分に果たされているとは云えなかった。
【０００７】
一方、上掲の特許文献１に記載されている技術では、ＰＥＴボトルとラベルとを分離することによって使用済み容器の回収レジンの純度を向上させることを意図しているに過ぎない。
【０００８】
本発明は、以上の状況の下でなされたものであり、電気機器セットと共に同梱されている付属品を梱包から取り出すときにユーザである商品購入者の目につきやすく、かつ、そのラベルに表示された情報をユーザの目に触れやすくすることのできるラベル及び電気機器セット付属品包装を提供することを目的とする。
【０００９】
また、本発明は、ラベルを付属品を収容する袋体にきれいに剥がせるように貼着しておくことが可能であり、そうすることによってそのラベルを商品購入者の目につきやすく、かつ、そのラベルに表示された情報をユーザの目に触れやすくすることのできるラベル及び電気機器セット付属品包装を提供することを目的とする。
【００１０】
さらに、本発明は、ラベルを付属品を収容する袋体にきれいに剥がせるように貼着しておくことによって、袋体から剥がしたラベルが保管しやすくなる電気機器セット付属品ラベル及び同付属品包装を提供することを目的とする。
【課題を解決するための手段】
【００１１】
本発明に係るラベルは、印刷表示スペースを形成するラベル主部を有し、該ラベル主部の両端にミシン目を介して連設され、かつ、互いに重ね合わされて接着手段により貼り合わせられる一対の接合片部を追加したというものである。このラベルによると、一対の接合片部を貼り合わせることによって当該ラベルを電気機器セット付属品やその包装などに巻き付けておくことが可能になり、また、印刷表示スペースを形成しているラベル主部を、ミシン目の形成箇所で接合片部から分離して保管するということが可能になる。なお、接着手段には、片面粘着性を有する接着テープのほか、糊やその他の接着剤が含まれる。
【００１２】
本発明のラベルでは、前記ミシン目を断続的切り目とし、そのようなミシン目の両端にＶ形の切込みが形成されているという構成を採用することが可能であり、そうすることにより、接合片部を手の指でつかんでラベル主部から引き破って分離するという作業を容易にかつ確実に行うことができるようになる。この作用は、前記ミシン目の端点に位置する切り目が、前記Ｖ形の切込みの谷底点に連接しているという構成を採用することによっていっそう顕著に発揮される。
【００１３】
本発明のラベルは、印刷表示スペースを形成するラベル主部と、該ラベル主部の両端に連設された一対の接合片部とで構成され、前記ラベル主部と前記接合片部とをミシン目を介して連設したラベルにおいて、前記ラベルの全長が電気機器セット付属品を収容させた柔軟な袋体の外側に一対の前記接合片部が重なるように巻き付けられる長さを有し、前記接合片部間を接着テープにより貼り合わせると共に、前記ミシン目の両端にＶ形の切込みが形成されて、前記ミシン目の端点に位置する切り目が、前記Ｖ形の切込みの谷底点に連接している、という構成であってもよい。この構成であると、ラベルが、電気機器セット付属品を収容させた柔軟な袋体の外側に巻き付けられて保持されているので、付属品を袋体から取り出す前にユーザの目にラベル主部に施されている印刷表示が触れるようになる。また、接着テープで貼り合わされている一対の接合片部を、ミシン目の形成箇所でラベル主部から引き破るだけの操作でラベル主部だけを手元に残して保管することができるようになる。その他の作用は、後述する実施形態を参照して詳細に説明する。
【００１４】
本発明に係る電気機器セット付属品包装は、ラベル主部の両端に一対の接合片部が引き破り可能なミシン目を介して連設されてなるラベルが、電気機器セット付属品を収容させた柔軟な袋体の外側に巻き付けられて、一対の前記接合片部が互いに重ね合わされて接着テープにより貼り合わされていると共に、その接着テープが前記袋体にも貼着されている。この構成であると、ラベルを電気機器セット付属品を収容させた柔軟な袋体に巻き付けてその袋体の外側に接着テープを介して保持させておくことが可能であるので、ラベルが袋体から外れてユーザの目に触れなくなるということがなくなり、付属品を袋体から取り出す前にラベル主部に施されている印刷表示がユーザの目に必ず触れにようになる。また、接着テープで貼り合わされている一対の接合片部を、ミシン目の形成箇所でラベル主部から引き破るだけの操作でラベル主部だけを手元に残して保管することができるようになる。
【００１５】
本発明の前記包装において、前記袋体は前記付属品の出入れ口を束ねて塞いでなり、一対の前記接合片部を貼り合わせている前記接着テープを延出させて前記出入れ口の束ね部に貼り付けることによりその束ね部を封鎖してあるという構成を採用することが可能であり、これによれば、ラベルの接合片部を貼り合わせている接着テープによって袋体の束ね部が塞がれるので、袋体の束ね部を塞ぐための接着テープが不要になる。
【００１６】
本発明の前記包装において、前記接着テープは、その片側端部が一対の前記接合片部の重なり部分に貼着されていて、それらの接合片部の重なり部分での前記接着テープが貼着されていない箇所を手の指で引き上げる操作を介し、前記ミシン目の破断と、袋体からの接着テープの剥離とが行われるようになっていることが望ましい。これによれば、接合片部の重なり部分での前記接着テープが貼着されていない箇所を手の指で引き上げるという１つの操作を行うだけで、ミシン目が破断してラベル主部が接合片部から分離され、併せて、袋体の束ね部も開放される。また、接合片部の重なり部分での接着テープが貼着されていない箇所を手の指で引き上げる操作を行うことによって接着テープが袋体から引き剥がされるので、接着テープを袋体から剥がしやすくなる。
【００１７】
本発明に係る前記包装では、ラベル主部の両端に一対の接合片部が引き破り可能なミシン目を介して連設されてなるラベルが、電気機器セット付属品を収容させた柔軟な袋体の外側に巻き付けられ、かつ、互いに重ね合わされた一対の前記接合片部が接着テープにより貼り合わされ、前記袋体は前記付属品の出入れ口が束ねて塞がれていて、その出入れ口の束ね部が前記接着テープを延出させて貼り付けることにより封鎖されていると共に、前記接着テープの片側端部が一対の前記接合片部の重なり部分に貼着されていて、それらの接合片部の重なり部分での前記接着テープが貼着されていない箇所を手の指で引き上げる操作を介し、前記ミシン目の破断と、袋体からの接着テープの剥離とが行われるようになっており、前記ラベルのラベル主部の中央部が前記袋体の正面側に配備され、かつ、前記ラベルの一対の接合片部の重なり部分が前記袋体の背面側に配備されている、という構成を採用することが可能であり、そのようにすることによって、ラベル主部の印刷表示がユーザの目にいっそう触れやすくなる。この発明の作用は、後述する実施形態を参照して詳細に説明する。
【発明の効果】
【００１８】
本発明に係るラベルによれば、当該ラベルの印刷表示の施されているラベル主部を接合片部から切り離すことが容易であるので、接合片部から切り離したラベル主部をユーザが保管する上でも便利であるだけでなく、接合片部を接着手段で貼り合わせることによって、当該ラベルを電気機器セット付属品やその他の物品に保持させやすくなる。また、ユーザにとっては、ラベル主部を接合片部から分離して保管しやすくなるという利点がある。
【００１９】
本発明に係る電気機器セット付属品包装によれば、ラベルが付属品を収容している袋体の外側に保持されているので、電気機器セットに同梱されている付属品を梱包からその付属品をユーザが取り出すときに、ユーザ自身が必ずそのラベルを見ることになり、そのラベルに表示された情報がユーザの目に触れやすくなる。また、ラベルの印刷表示の施されているラベル主部を接合片部から切り離すことが容易であるので、接合片部から切り離したラベル主部をユーザが保管する上でも便利である。
【００２０】
特に、接着テープを接合片部の貼着と袋体の出入れ口の束ね部の封鎖とに共用した電気機器セット付属品包装では、接合片部を手の指で掴んで引き上げるという操作を行うだけで、ラベル主部を接合片部から分離することと、接着テープを袋体から剥がし取ることとを連続して行うことができるという利便があるだけでなく、工場での付属品を袋体に収容する作業に関しても、接合片部の貼着と袋体の封鎖とを１回の接着テープ貼付け操作で行うことができて作業性を高められるという利点がある。
【発明を実施するための最良の形態】
【００２１】
図１（Ａ）は本発明に係る電気機器セット付属品包装Ａを正面側から見た概略斜視図、同（Ｂ）は同包装Ａを背面側から見た概略斜視図、図２（Ａ）はラベルＢを付属品包装に装着する際の加工手順の初期段階を示した斜視図、同（Ｂ）は同加工手順の最終段階を示した斜視図、図３は接着テープ４の貼着状態の変形例を示した概略斜視図である。また、図６はラベルＢの展開図、図７は図６のラベルＢの要部の拡大図である。さらに、図８（Ａ）（Ｂ）はミシン目の変形例を示した説明図である。
【００２２】
この実施形態において、電気機器セット付属品１はリモートコントローラであって、モード切換え用のプッシュボタン１２などを備えている。付属品１としてのリモートコントローラは、図１又は図３のようにポリエチレン製の柔軟な袋体２に収容された状態で電気機器セット（不図示）と同梱される。袋体２はリモートコントローラを入れるのに十分な適度の大きさを有する細長形状に形成されていて、その一端に備わっている出入れ口を折り畳むことによって形成された束ね部２１が、その束ね部２１に貼り付けられた接着テープ３によって封鎖されている。
【００２３】
図６のように、ラベルＢは、比較的腰の強い紙を矩形に裁断することにより形成されていて、その所定箇所に、引き破り可能なミシン目５１や切込み５２を形成することによって形成されている。ラベルＢは、印刷表示スペースを形成する矩形のラベル主部５５と、そのラベル主部５５の幅方向の両端に各別に連設された矩形の一対の接合片部５６，５６とに区画されていると共に、前記ミシン目５１，５１が、ラベル主部５５とその両側の接合片部５６，５６との境界部分で当該ラベルＢを横切ってまっすぐに形成されていて、図例ではミシン目５１，５１が等長の断続的切り目でなる。なお、ミシン目５１には、等長の断続的切り目が含まれることは勿論、それ以外にも、たとえば図８（Ａ）に例示したような一点鎖線形状のミシン目５１や、同（Ｂ）に例示したような断続的なスリットによって形成されたミシン目５１なども含まれる。また、切込み５２はＶ形に形成されていて、図７のようにその切込み５２の谷底点５２ａに前記ミシン目５１の端点に位置する切り目５１ａが連接している。
【００２４】
ラベルＢは、図２（Ａ）のようにそのラベル主部５５の適所を折曲げるか、あるいは、湾曲させつつ、同図（Ｂ）のようにその両側の一対の接合片部５６，５６を重ね合わせるという手順を行うことによって、図１（Ａ）（Ｂ）のように付属品１を収容した袋体２の外側に巻き付けられる。そして、接合片部５６，５６の重なり部分を接着テープ４によって貼り付けてある。ここで、図１や図３の事例では、接着テープ４を一対の接合片部５６，５６の重なり部分と袋体２とに跨がって貼り付けてあるので、ラベルＢが袋体２から外れて脱落するという事態は起こり得ない。また、図１の事例では、接着テープ４の片側端部４１が接合片部５６，５６の重なり部分に貼着されているのに対し、図３の事例では、接着テープ４の片側端部４１が前記重なり部分から突出されて袋体２に貼着されている。
【００２５】
ラベルＢが図６のように形成され、包装Ａが図１又は図３のように構成されていると、電気機器セットと共に同梱されている包装Ａをその梱包からユーザが取り出すときには、包装Ａの袋体２の外側に巻き付けられて保持されているラベルＢが必ずユーザの目に触れる。そのため、ユーザはラベルＢのラベル主部５５に印刷表示されている情報を必ず見ることになり、その情報が興味を促すものであればその情報に基づいて付属品１についての知識を得たり、その関連商品の購入などを検討したりするようになる。また、梱包から取り出された包装Ａに関しては、接着テープ３を剥がして付属品１を袋体２から取り出すだけでなく、袋体２の外側に巻き付けられているラベルＢに関し、大抵の場合に、ラベルＢを袋体２から剥がし取るという行動を起こすために、接合片部５６，５６を手の指で引き上げる操作を行うようになる。そして、そのような操作が行われると、ミシン目５１が引き破られ、ラベル主部５５が接合片部５６，５６から分離し、その結果、ラベル主部５５がユーザによって保管されやすくなる。
【００２６】
ところで、図１に示した包装Ｂでは、接着テープ４の片側端部４１が接合片部５６，５６の重なり部分に貼着されているために、接合片部５６，５６の重なり部分での接着テープ４が貼着されていない箇所を把手として接合片部５６，５６を手の指で引き上げる操作を行うことができる。そのため、袋体２に貼着されている接着テープ４の端部をその袋体２から引き剥がすという煩わしくて困難な操作を行うことなく、ミシン目５１，５１を引き破ってラベル主部５５を接合片部５６，５６から分離したり、接着テープ４を袋体２から引き剥がしたりすることが可能である。この点で、図１のように接着テープ４の片側端部４１を接合片部５６，５６の重なり部分に貼着しておくという構成を採用することは、図３のように接着テープ４の片側端部４１を接合片部５６，５６の重なり部分から突出させて袋体２に貼着しておくという構成を採用するよりも有利であると云える。
【００２７】
また、図７を参照して説明したように、切込み５２がＶ形に形成されていて、その切込み５２の谷底点５２ａにミシン目５１，５１の端点に位置する切り目５２ａ，５２ａが連続しているために、接合片部５６，５６が引き上げられると、小さな力でミシン目５１，５１が容易に引き破られることになり、ユーザにとっては煩わしさを感じることなくラベル主部５５を接合片部５６，５６から分離することができるという利点が生じる。
【００２８】
図４は他の実施形態に係る電気機器セット付属品包装Ａを正面側から見た概略斜視図である。この実施形態の包装Ａにおいて、図１で説明した包装Ａと異なる点は、図１に示した束ね部２１を封鎖している接着テープ３を省略し、その代わりに、ラベルＢの接合片部５６，５６の重なり部分を貼り合わせている接着テープ４を延出させて束ね部２１に貼り付けることによって、その束ね部２１を封鎖してある。この他の事項は図１で説明したところと同様であるので、同一部分に同一符号を付すことによって説明の重複を避けることにする。
【００２９】
この実施形態によると、工場で付属品１を袋体２に収容する作業に関して、接合片部５６，５６の接着テープ４による貼着と袋体２の束ね部２１の封鎖とを１回の接着テープ４の貼付け操作で行うことができて作業性が高まる。また、接合片部５６，５６を手の指で掴んで引き上げるという操作を行うだけで、ラベル主部５５を接合片部５６，５６から分離することと、接着テープ４を袋体２から剥がし取って袋体２の出入れ口を開くという操作とを連続して行うことができるようになり、ユーザにとっては、袋体２の束ね部２１を封鎖している接着テープ３を剥がすという煩わしい操作を行う必要がなくなるという利点がある。
【００３０】
図５はさらに他の実施形態に係る電気機器セット付属品包装Ａを正面側から見た概略斜視図であり、このものにおいて、図４で説明したものと異なる点は、接着テープ４の片側端部４１を接合片部５６，５６の重なり部分から突出させて袋体２に貼着してある点だけである。その他の事項は図１又は図４で説明した事項と同様であるので、同一部分に同一符号を付すことによって説明の重複を避けることにする。
【図面の簡単な説明】
【００３１】
【図１】（Ａ）は本発明に係る電気機器セット付属品包装を正面側から見た概略斜視図、（Ｂ）は同包装を背面側から見た概略斜視図である。
【図２】（Ａ）は電気機器セット付属品用ラベルを付属品包装に装着する際の加工手順の初期段階を示した斜視図、（Ｂ）は同加工手順の最終段階を示した斜視図である。
【図３】接着テープの貼着状態の変形例を示した概略斜視図である。
【図４】他の実施形態に係る電気機器セット付属品包装を正面側から見た概略斜視図である。
【図５】さらに他の実施形態に係る電気機器セット付属品包装を正面側から見た概略斜視図である。
【図６】ラベルの展開図である。
【図７】図６のラベルの要部の拡大図である。
【図８】（Ａ）（Ｂ）はミシン目の変形例を示した説明図である。
【符号の説明】
【００３２】
１  付属品（電気機器セット付属品）
２  袋体
４  接着テープ
５  ラベル本体
２１  出入れ口の束ね部
５１  ミシン目
５１ａ  切り目
５２  切込み
５２ａ  谷底点
５５  ラベル主部
５６  接合片部
【図１】
2006171166.tif 000003
【図２】
2006171166.tif 000004
【図３】
2006171166.tif 000005
【図４】
2006171166.tif 000006
【図５】
2006171166.tif 000007
【図６】
2006171166.tif 000008
【図７】
2006171166.tif 000009
【図８】
2006171166.tif 000010